(57)【要約】  電球の交換装置は半透明なシェル（１１）と基部（１２）を含む。基部は従来の照明ソケットに受容されるように構成される。また、基部は交換可能な揮発性活性剤挿入体（１７、１８）を受容し固定するためのコンパートメント、溝（１６）または窪みを含み、挿入体がコンパートメントに固定されると、装置は昆虫防除物質の放出が可能である。コイル状蛍光灯（１４）、複数の色のＬＥＤ（１５ａ，１５ｂ，１５ｃ）、および白熱光源のうちの１つ以上の組み合わせを、照明源としてシェル中に提供することができる。したがって、従来の電球の代わりとして、カートリッジ、マット、管、シート、パッチ等の形で昆虫防除を提供する単一の装置として用いられる。【選択図】図１
2010515454.tif 000002
【特許請求の範囲】
【請求項１】
照明および揮発性活性剤ディスペンサー組み合わせ装置であって、
電球ソケットに嵌合するオスの基部を含み、前記基部が光源と覆いに連結され、
前記覆いが昆虫防除物質を含む交換可能挿入体を収容する、
照明および揮発性活性剤ディスペンサー組み合わせ装置。
【請求項２】
前記光源がコイル状蛍光灯（ＣＦＬ）を含む請求項１に記載の装置。
【請求項３】
前記光源が複数の着色ライトを含み、前記装置が更に、メモリーに記憶された少なくとも１つの着色光によるショーを有するメモリーを含む制御回路を含む請求項１に記載の装置。
【請求項４】
前記光源が複数の着色ライトを含み、前記装置が更にメモリーに記憶された少なくとも１つの着色光によるショーを有するメモリーを含む制御回路を含む請求項２に記載の装置。
【請求項５】
前記制御回路がＣＦＬの強度レベルを調整するための調光可能な電子安定器を含む請求項４に記載の装置。
【請求項６】
前記昆虫防除物質が、
（３−フェノキシフェニル）メチル３−（２，２−ジクロロエテニル）−２，２−ジメチルシクロプロパンカルボキシラート、
（２−メチル〔１，１’−ビフェニル〕−３−イル）メチル３−（２−クロロ−３，３，３−トリフルオロ−１−プロペニル）−２，２−ジメチルシクロプロパンカルボキシラート、
（Ｓ）−２−メチル−４−オキソ−３−（２−プロピニル）−２−シクロペンテン−１−イル２，２−ジメチル−３−（２−メチル−１−プロペニル）シクロプロパンカルボキシラート、
ｄ−アレトリン−２−メチル−４−オキソ−３−（２−プロペニル）−２−シクロペンテン−１−イル２，２−ジメチル−３−（２−メチル−１−プロペニル）シクロプロパンカルボキシラート、
〔１Ｒ−〔１ａ（Ｓ*），３ｂ〕〕−２−メチル−４−オキソ−３−（２−プロペニル）−２−シクロペンテン−１−イル２，２−ジメチル−３−（２−メチル−１−プロペニル）シクロプロパンカルボキシラート、
（１，３，４，５，６，７−ヘキサヒドロ−１，３−ジオキソ−２Ｈ−イソインドール−２−イル）メチル２，２−ジメチル−３−（２−メチル−１−プロペニル）シクロプロパンカルボキシラート、
（１，３，４，５，６，７−ヘキサヒドロ−１，３−ジオキソ−２Ｈ−イソインドール−２−イル）メチル（１Ｒ）−シス−トランス−２，２−ジメチル−３−（２−メチル−１−プロペニル）シクロプロパンカルボキシラートおよび混合立体異性体、
（３−フェノキシフェニル）メチル２，２−ジメチル−３−（２−メチル−１−プロペニル）シクロプロパンカルボキシラートおよび混合立体異性体、
〔２，３，５，６−テトラフルオロ−４−（メトキシメチル）フェニル〕メチル２，２−ジメチル−３−（１−プロペニル）シクロプロパンカルボキシラート、
（２，３，５，６−テトラフルオロ−４−メチルフェニル）メチル２，２−ジメチル−３−（１−プロペニル）シクロプロパンカルボキシラート、
〔２，３，５，６−テトラフルオロ−４−（メトキシメチル）フェニル〕メチル２，２−ジメチル−３−（２−メチル−１−プロペニル）シクロプロパンカルボキシラート、
（１Ｒ−トランス）−（２，３，５，６−テトラフルオロフェニル）メチル３−（２，２−ジクロロエテニル）−２，２−ジメチルシクロプロパンカルボキシラート、
〔２，５−ジオキソ−３−（２−プロピニル）−１−イミダゾリジニル〕メチル２，２−ジメチル−３−（２−メチル−１−プロペニル）シクロプロパンカルボキシラート、
１−エチニル−２−メチル−２−ペンテニル（１Ｒ）−シス−トランス−２，２−ジメチル−３−（２−メチル−１−プロペニル）シクロプロパンカルボキシラート、
２，２−ジクロロエテニルジメチルホスフェート、
〔１ａ，３ａ（Ｚ）〕−（±）−（２，３，５，６−テトラフルオロ−４−メチルフェニル）メチル３−（２−クロロ−３，３，３−トリフルオロ−１−プロペニル）−２，２−ジメチルシクロプロパンカルボキシラート、
（（Ｒ）−トランス異性体）−（３−フェノキシフェニル）メチル２，２−ジメチル−３−（２−メチル−１−プロペニル）シクロプロパンカルボキシラート、
シアノ（３−フェノキシフェニル）メチル３−（２，２−ジクロロエテニル）−２，２−ジメチルシクロプロパンカルボキシラート、
１−〔〔２−（４−エトキシフェニル）−２−メチルプロポキシ〕メチル〕−３−フェノキシベンゼン、
１−メチルプロピル２−（２−ヒドロキシエチル）−１−ピペリジンカルボキシラート、
Ｎ，Ｎ−ジエチル−ｍ−トルアミド−Ｎ，Ｎ−ジエチル−３−メチルベンズアミド、およびその混合物からなる群から選択される少なくとも１つの物質を含む請求項１に記載の装置。
【請求項７】
前記交換可能挿入体がカートリッジを有し、前記覆いがカートリッジを受容するための溝を含み、前記カートリッジが前記昆虫防除物質を含む請求項１に記載の装置。
【請求項８】
前記交換可能挿入体が前記昆虫防除物質を含浸させたマットを含み、前記覆いが前記マットを受容するための溝を含む請求項１に記載の装置。
【請求項９】
前記覆いが前記昆虫防除物質を放出するための少なくとも１つの孔を有する請求項１に記載の装置。
【請求項１０】
前記装置が更に前記覆い内部に配設されて前記挿入体に向いたファンまたは圧電電子噴霧器の少なくとも１つを有し、前記覆いが前記昆虫防除物質を放出するための少なくとも１つの孔を有する請求項１に記載の装置。
【請求項１１】
前記装置が更に前記挿入体の前記昆虫防除物質を揮発させるために前記覆い内に配設された加熱要素を含み、前記覆いが前記昆虫防除物質を放出するための少なくとも１つの孔を有する請求項１に記載の装置。
【請求項１２】
前記光源が低電圧白色光源を含む請求項１に記載の装置。
【請求項１３】
照明と昆虫防除物質ディスペンサー組み合わせ装置であって、
電球ソケットに嵌合するオスの基部を含み、前記基部が光源と覆いに連結され、
前記覆いが昆虫防除物質を含む交換可能挿入体および前記昆虫防除物質を放出する孔を収容し、
前記覆いが更に前記挿入体と前記孔に向いたファンを収容する、
照明と昆虫防除物質ディスペンサー組み合わせ装置。
【請求項１４】
前記光源がコイル状蛍光灯（ＣＦＬ）を含む請求項１３に記載の装置。
【請求項１５】
前記光源が複数の着色ＬＥＤを含み、前記装置が、更にメモリーに記憶された少なくとも１つの着色光によるショーを有するメモリーを含む制御回路を含む請求項１３に記載の装置。
【請求項１６】
前記昆虫防除物質が、
（３−フェノキシフェニル）メチル３−（２，２−ジクロロエテニル）−２，２−ジメチルシクロプロパンカルボキシラート、
（２−メチル〔１，１’−ビフェニル〕−３−イル）メチル３−（２−クロロ−３，３，３−トリフルオロ−１−プロペニル）−２，２−ジメチルシクロプロパンカルボキシラート、
（Ｓ）−２−メチル−４−オキソ−３−（２−プロピニル）−２−シクロペンテン−１−イル２，２−ジメチル−３−（２−メチル−１−プロペニル）シクロプロパンカルボキシラート、
ｄ−アレトリン−２−メチル−４−オキソ−３−（２−プロペニル）−２−シクロペンテン−１−イル２，２−ジメチル−３−（２−メチル−１−プロペニル）シクロプロパンカルボキシラート、
〔１Ｒ−〔１ａ（Ｓ*），３ｂ〕〕−２−メチル−４−オキソ−３−（２−プロペニル）−２−シクロペンテン−１−イル２，２−ジメチル−３−（２−メチル−１−プロペニル）シクロプロパンカルボキシラート、
（１，３，４，５，６，７−ヘキサヒドロ−１，３−ジオキソ−２Ｈ−イソインドール−２−イル）メチル２，２−ジメチル−３−（２−メチル−１−プロペニル）シクロプロパンカルボキシラート、
（１，３，４，５，６，７−ヘキサヒドロ−１，３−ジオキソ−２Ｈ−イソインドール−２−イル）メチル（１Ｒ）−シス−トランス−２，２−ジメチル−３−（２−メチル−１−プロペニル）シクロプロパンカルボキシラートおよび混合立体異性体、
（３−フェノキシフェニル）メチル２，２−ジメチル−３−（２−メチル−１−プロペニル）シクロプロパンカルボキシラートおよび混合立体異性体、
〔２，３，５，６−テトラフルオロ−４−（メトキシメチル）フェニル〕メチル２，２−ジメチル−３−（１−プロペニル）シクロプロパンカルボキシラート、
（２，３，５，６−テトラフルオロ−４−メチルフェニル）メチル２，２−ジメチル−３−（１−プロペニル）シクロプロパンカルボキシラート、
〔２，３，５，６−テトラフルオロ−４−（メトキシメチル）フェニル〕メチル２，２−ジメチル−３−（２−メチル−１−プロペニル）シクロプロパンカルボキシラート、
（１Ｒ−トランス）−（２，３，５，６−テトラフルオロフェニル）メチル３−（２，２−ジクロロエテニル）−２，２−ジメチルシクロプロパンカルボキシラート、
〔２，５−ジオキソ−３−（２−プロピニル）−１−イミダゾリジニル〕メチル２，２−ジメチル−３−（２−メチル−１−プロペニル）シクロプロパンカルボキシラート、
１−エチニル−２−メチル−２−ペンテニル（１Ｒ）−シス−トランス−２，２−ジメチル−３−（２−メチル−１−プロペニル）シクロプロパンカルボキシラート、
２，２−ジクロロエテニルジメチルホスフェート、
〔１ａ，３ａ（Ｚ）〕−（±）−（２，３，５，６−テトラフルオロ−４−メチルフェニル）メチル３−（２−クロロ−３，３，３−トリフルオロ−１−プロペニル）−２，２−ジメチルシクロプロパンカルボキシラート、
（（Ｒ）−トランス異性体）−（３−フェノキシフェニル）メチル２，２−ジメチル−３−（２−メチル−１−プロペニル）シクロプロパンカルボキシラート、
シアノ（３−フェノキシフェニル）メチル３−（２，２−ジクロロエテニル）−２，２−ジメチルシクロプロパンカルボキシラート、
１−〔〔２−（４−エトキシフェニル）−２−メチルプロポキシ〕メチル〕−３−フェノキシベンゼン、
１−メチルプロピル２−（２−ヒドロキシエチル）−１−ピペリジンカルボキシラート、
Ｎ，Ｎ−ジエチル−ｍ−トルアミド−Ｎ，Ｎ−ジエチル−３−メチルベンズアミド、およびその混合物からなる群から選択される少なくとも１つの物質を含む請求項１３に記載の装置。
【請求項１７】
照明と昆虫防除物質ディスペンサー組み合わせ装置であって、
電球ソケットに嵌合するオスの基部を含み、前記基部が光源と覆いに連結され、
前記覆いが昆虫防除物質を含む交換可能挿入体および前記昆虫防除物質を放出する孔を有し、
前記覆いが更に前記昆虫防除物質を揮発させる加熱要素を有する、
照明と昆虫防除物質ディスペンサー組み合わせ装置。
【請求項１８】
前記光源がコイル状蛍光灯（ＣＦＬ）を含む請求項１７に記載の装置。
【請求項１９】
前記光源が複数の着色ＬＥＤを含み、前記装置が、更にメモリーに記憶された少なくとも１つの着色光によるショーを有するメモリーを含む制御回路を含む請求項１７に記載の装置。
【請求項２０】
前記昆虫防除物質が、
（３−フェノキシフェニル）メチル３−（２，２−ジクロロエテニル）−２，２−ジメチルシクロプロパンカルボキシラート、
（２−メチル〔１，１’−ビフェニル〕−３−イル）メチル３−（２−クロロ−３，３，３−トリフルオロ−１−プロペニル）−２，２−ジメチルシクロプロパンカルボキシラート、
（Ｓ）−２−メチル−４−オキソ−３−（２−プロピニル）−２−シクロペンテン−１−イル２，２−ジメチル−３−（２−メチル−１−プロペニル）シクロプロパンカルボキシラート、
ｄ−アレトリン−２−メチル−４−オキソ−３−（２−プロペニル）−２−シクロペンテン−１−イル２，２−ジメチル−３−（２−メチル−１−プロペニル）シクロプロパンカルボキシラート、
〔１Ｒ−〔１ａ（Ｓ*），３ｂ〕〕−２−メチル−４−オキソ−３−（２−プロペニル）−２−シクロペンテン−１−イル２，２−ジメチル−３−（２−メチル−１−プロペニル）シクロプロパンカルボキシラート、
（１，３，４，５，６，７−ヘキサヒドロ−１，３−ジオキソ−２Ｈ−イソインドール−２−イル）メチル２，２−ジメチル−３−（２−メチル−１−プロペニル）シクロプロパンカルボキシラート、
（１，３，４，５，６，７−ヘキサヒドロ−１，３−ジオキソ−２Ｈ−イソインドール−２−イル）メチル（１Ｒ）−シス−トランス−２，２−ジメチル−３−（２−メチル−１−プロペニル）シクロプロパンカルボキシラートおよび混合立体異性体、
（３−フェノキシフェニル）メチル２，２−ジメチル−３−（２−メチル−１−プロペニル）シクロプロパンカルボキシラートおよび混合立体異性体、
〔２，３，５，６−テトラフルオロ−４−（メトキシメチル）フェニル〕メチル２，２−ジメチル−３−（１−プロペニル）シクロプロパンカルボキシラート、
（２，３，５，６−テトラフルオロ−４−メチルフェニル）メチル２，２−ジメチル−３−（１−プロペニル）シクロプロパンカルボキシラート、
〔２，３，５，６−テトラフルオロ−４−（メトキシメチル）フェニル〕メチル２，２−ジメチル−３−（２−メチル−１−プロペニル）シクロプロパンカルボキシラート、
（１Ｒ−トランス）−（２，３，５，６−テトラフルオロフェニル）メチル３−（２，２−ジクロロエテニル）−２，２−ジメチルシクロプロパンカルボキシラート、
〔２，５−ジオキソ−３−（２−プロピニル）−１−イミダゾリジニル〕メチル２，２−ジメチル−３−（２−メチル−１−プロペニル）シクロプロパンカルボキシラート、
１−エチニル−２−メチル−２−ペンテニル（１Ｒ）−シス−トランス−２，２−ジメチル−３−（２−メチル−１−プロペニル）シクロプロパンカルボキシラート、
２，２−ジクロロエテニルジメチルホスフェート、
〔１ａ，３ａ（Ｚ）〕−（±）−（２，３，５，６−テトラフルオロ−４−メチルフェニル）メチル３−（２−クロロ−３，３，３−トリフルオロ−１−プロペニル）−２，２−ジメチルシクロプロパンカルボキシラート、
（（Ｒ）−トランス異性体）−（３−フェノキシフェニル）メチル２，２−ジメチル−３−（２−メチル−１−プロペニル）シクロプロパンカルボキシラート、
シアノ（３−フェノキシフェニル）メチル３−（２，２−ジクロロエテニル）−２，２−ジメチルシクロプロパンカルボキシラート、
１−〔〔２−（４−エトキシフェニル）−２−メチルプロポキシ〕メチル〕−３−フェノキシベンゼン、
１−メチルプロピル２−（２−ヒドロキシエチル）−１−ピペリジンカルボキシラート、
Ｎ，Ｎ−ジエチル−ｍ−トルアミド−Ｎ，Ｎ−ジエチル−３−メチルベンズアミド、およびその混合物からなる群から選択される少なくとも１つの物質を含む請求項１７に記載の装置。
【発明の詳細な説明】
【技術分野】
【０００１】
本出願は、２００４年３月３日出願の仮特許出願番号第６０／５４９，１５４号の優先権を主張する２００５年３月３日出願の係属中米国特許出願第１１／０６９，９６４号の一部継続出願である米国特許出願番号第１１／４２６，０５５号の一部継続出願である。また、本出願は、２００３年７月２日出願の仮特許出願番号第６０／４８３，９１３号の優先権を主張する２００４年７月２日出願の係属中米国特許出願番号第１０／５６１，８２２号の一部継続出願である。
【０００２】
昆虫防除物質放出、白色光、および変化する着色光によるショー（ｃｏｌｏｒｅｄ  ｌｉｇｈｔ  ｓｈｏｗ）の形の着色光などの特徴の様々な組み合わせを提供する従来の電球の代替物が開示されるが、本代替物はこれらの組み合わせに限定されるものではない。開示される装置は従来の照明ソケットにねじ込まれ、昆虫防除成分は交換可能な挿入体から供給される。
【背景技術】
【０００３】
快適な雰囲気を作り出すことは屋内および屋外の両方において家庭装飾の重要な一面である。快適な雰囲気の一部は様々な照明技術によって達成される。ムード照明および屋外照明システムのための様々な着色光および変化色照明用具の使用が知られる。
【０００４】
しかし、白色光および／または着色光を、芳香に加えて揮発性活性剤放出と組み合わせることに対する要求が存在する。揮発性活性剤放出の例としては、防虫剤、昆虫誘引剤、殺虫剤（そのいずれも雰囲気環境をより快適にするために必要であれば芳香材料と組み合わせてもよい）などの調節された放出がある。
【０００５】
蚊などの刺咬する昆虫はうっとおしく、病気を運ぶことがある。蚊が伝播する最も良く知られた病気はマラリアであり、数世紀に渡って世界の多くの場所で伝染病であった。北米を含むアフリカ以外の地域で蚊が伝播するウェストナイル熱の増加に関する報告がある。ウェストナイルウィルスは感染した蚊による刺咬によって広がり、人、馬、多くの種類の鳥、およびその他いくつかの動物に感染することができる。場合によっては、ウェストナイルウィルス感染は重篤な結果になり、場合によっては致命的な疾病になる。蚊によって広がる他の病気にはデング熱および東部馬脳炎（ＥＥＥ）が挙げられる。
【０００６】
昆虫を殺すまたは撃退する試みに用いられる既知の装置には一般に２つの種類があり、電気的昆虫駆除器および電子的撃退器である。多くの昆虫駆除器は通電したワイヤグリッドの間に昆虫を引きつけるために紫外線光に依存するにする。パチパチという音に続く破裂音は昆虫が感電グリッドを通過したことを示す。昆虫駆除器は多くの昆虫を殺すことができるが、蚊は光に誘引されないので、蚊または人に害のある他の害虫はほとんど殺されない。代わりに、蚊はすぐ近くの呼吸をする人または動物の二酸化炭素の放出に誘引される。対照的に、昆虫駆除器に感受性のある昆虫の多くは、月を頼りに進もうとしながら罠に掛かる甲虫または夜行性蛾である。残念なことに、これらの昆虫は人にとって問題とはならない。騒音または音波による電子的撃退器は、蚊がすぐ近くの人を刺すのを防ぐには有効でないことが示されてきた。いくつかの昆虫駆除器および電子的撃退器は蚊に対する効き目を高めるために二酸化炭素源が加えられてきた。
【０００７】
したがって、蚊および他の人にとって問題となる刺咬害虫を抑制するために、人の標的を検出する蚊の能力を阻害するのに有効であると判明したいくつかの化学物質が用いられる。ＯＦＦ（登録商標）および他の防虫剤銘柄中の有効成分であるＤＥＥＴ（Ｎ，Ｎ−ジエチル−３−メチルベンズアミド）などのいくつかの化学物質は直接皮膚に塗布された場合に有効である。
【０００８】
しかしながら、人々が高価に着飾ったりまたはよりフォーマルな服装となる屋外の社交パーティーの間などの多くの状況において、防虫剤の直接の使用は好ましくない。そのような状況において、安全な防虫剤を局所的な環境領域に散布して、蚊の存在からその領域を保護することができる。このような局所的散布に適した防虫剤の一般的な種類の１つは、ピレスロイド化合物類である。
【０００９】
したがって、このような安全な昆虫防除化学物質を散布する装置および快適な雰囲気を高める照明をも提供することのできる装置に対する必要性がある。
【発明の概要】
【発明が解決しようとする課題】
【００１０】
現在市場にある照明と昆虫防除剤放出装置の限られた選択肢および欠点の観点から、本願では照明と揮発性昆虫防除剤放出との様々な組み合わせを提供する装置が開示される。
【課題を解決するための手段】
【００１１】
一実施形態において、電球ソケットに嵌合するオスの基部を含む、照明と揮発性活性ディスペンサーの組み合わせ装置が提供される。基部は光源と覆いに連結される。覆いは昆虫防除物質を含む交換可能挿入体を収容する。
【００１２】
一改良形態において、光源はコイル状蛍光灯（ＣＦＬ）を含む。
【００１３】
一改良形態において、光源は複数の着色ライトを含み、装置は更にメモリーに記憶された少なくとも１つの着色光によるショーを有するメモリーを含む制御回路を含む。
【００１４】
一関連改良形態において、制御回路はＣＦＬの強度レベルを調整するための調光可能な電子安定器を含む。
【００１５】
一改良形態において、昆虫防除物質は、（３−フェノキシフェニル）メチル３−（２，２−ジクロロエテニル）−２，２−ジメチルシクロプロパンカルボキシラート、（２−メチル〔１，１’−ビフェニル〕−３−イル）メチル３−（２−クロロ−３，３，３−トリフルオロ−１−プロペニル）−２，２−ジメチルシクロプロパンカルボキシラート、（Ｓ）−２−メチル−４−オキソ−３−（２−プロピニル）−２−シクロペンテン−１−イル２，２−ジメチル−３−（２−メチル−１−プロペニル）シクロプロパンカルボキシラート、２−メチル−４−オキソ−３−（２−プロペニル）−２−シクロペンテン−１−イル２，２−ジメチル−３−（２−メチル−１−プロペニル）シクロプロパンカルボキシラート、〔１Ｒ−〔１ａ（Ｓ*），３ｂ〕〕−２−メチル−４−オキソ−３−（２−プロペニル）−２−シクロペンテン−１−イル２，２−ジメチル−３−（２−メチル−１−プロペニル）シクロプロパンカルボキシラート、（１，３，４，５，６，７−ヘキサヒドロ−１，３−ジオキソ−２Ｈ−イソインドール−２−イル）メチル２，２−ジメチル−３−（２−メチル−１−プロペニル）シクロプロパンカルボキシラート、（１，３，４，５，６，７−ヘキサヒドロ−１，３−ジオキソ−２Ｈ−イソインドール−２−イル）メチル（１Ｒ）−シス−トランス−２，２−ジメチル−３−（２−メチル−１−プロペニル）シクロプロパンカルボキシラートおよび混合立体異性体、（３−フェノキシフェニル）メチル２，２−ジメチル−３−（２−メチル−１−プロペニル）シクロプロパンカルボキシラートおよび混合立体異性体、〔２，３，５，６−テトラフルオロ−４−（メトキシメチル）フェニル〕メチル２，２−ジメチル−３−（１−プロペニル）シクロプロパンカルボキシラート、（２，３，５，６−テトラフルオロ−４−メチルフェニル）メチル２，２−ジメチル−３−（１−プロペニル）シクロプロパンカルボキシラート、〔２，３，５，６−テトラフルオロ−４−（メトキシメチル）フェニル〕メチル２，２−ジメチル−３−（２−メチル−１−プロペニル）シクロプロパンカルボキシラート、（１Ｒ−トランス）−（２，３，５，６−テトラフルオロフェニル）メチル３−（２，２−ジクロロエテニル）−２，２−ジメチルシクロプロパンカルボキシラート、〔２，５−ジオキソ−３−（２−プロピニル）−１−イミダゾリジニル〕メチル２，２−ジメチル−３−（２−メチル−１−プロペニル）シクロプロパンカルボキシラート、１−エチニル−２−メチル−２−ペンテニル（１Ｒ）−シス−トランス−２，２−ジメチル−３−（２−メチル−１−プロペニル）シクロプロパンカルボキシラート、２，２−ジクロロエテニルジメチルホスフェート、〔１ａ，３ａ（Ｚ）〕−（±）−（２，３，５，６−テトラフルオロ−４−メチルフェニル）メチル３−（２−クロロ−３，３，３−トリフルオロ−１−プロペニル）−２，２−ジメチルシクロプロパンカルボキシラート、（（Ｒ）−トランス異性体）−（３−フェノキシフェニル）メチル２，２−ジメチル−３−（２−メチル−１−プロペニル）シクロプロパンカルボキシラート、シアノ（３−フェノキシフェニル）メチル３−（２，２−ジクロロエテニル）−２，２−ジメチルシクロプロパンカルボキシラート、１−〔〔２−（４−エトキシフェニル）−２−メチルプロポキシ〕メチル〕−３−フェノキシベンゼン、１−メチルプロピル２−（２−ヒドロキシエチル）−１−ピペリジンカルボキシラート、Ｎ，Ｎ−ジエチル−ｍ−トルアミド、およびその混合物からなる群から選択される少なくとも１つの物質を含む。
【００１６】
本明細書に開示される装置と共に用いることのできる上記揮発性昆虫防除剤の一般的名称は、ペルメトリン、ビフェントリン、プラレトリン、アレトリン、エスビオトリン、トレトラメトリン、ｄ−テトラメトリン、フェノトリン、メトフルトリン、プロフルトリン、ジメフルトリン、トランスフルトリン、イミプロトリン、エンペントリン、ジクロルボス、テトフルトリン、フェノトリン、シペルメトリン、エトフェンプロックス、パカルジン、ｎ，ｎ―ジエチル−ｍ−トルアミド、およびその混合物を含むが、これらに限定されない。
【００１７】
用語「交換可能挿入体」は極めて広く用いられ、多くの形状を取ることができる。さらに他の関連改良形態において、交換可能挿入体は透明、半透明、または不透明な、コード化された紙または他の基板材料の形で提供され、またはハニカム厚紙型構造などの含浸ハニカム構造も良好に用いられてきた。一改良形態において、交換可能挿入体はカートリッジを含み、覆いはカートリッジを受容するための溝を含み、カートリッジは昆虫防除物質を含む。「カートリッジ」は、カートリッジを覆いに挿入する際に壊されるある種の脆弱な封を備えるプラスチックカートリッジ、管または瓶の形としてもよい。
【００１８】
他の改良形態において、交換可能挿入体は昆虫防除物質を含浸したマット、サンドコア（ｓａｎｄ  ｃｏｒｅ）または基板を含み、覆いはマットまたは基板を受容するための溝を含む。
【００１９】
一改良形態において、覆いは昆虫防除物質を放出するための少なくとも１つの孔を有する。
【００２０】
一改良形態において、装置は更に覆い内部に配設され挿入体に向けられたファンを含み、覆いは昆虫防除物質を放出するための少なくとも１つの孔を有する。
【００２１】
一改良形態において、装置は、更に挿入体の昆虫防除物質を揮発させるために覆いの中に配設された加熱要素を含み、覆いは昆虫防除物質を放出するための少なくとも１つの孔を有する。
【００２２】
一改良形態において、ファンと加熱要素の組み合わせを用いてもよい。
【００２３】
他の関連改良形態において、装置は昆虫が最も問題となる期間に1種または副数種の昆虫防除物質が放出されるようにするためにタイマーを含む。
【００２４】
いくつかの改良形態において、熱源は主として１または複数の光源によって提供される。他の改良形態において、ヒーターは１または複数の光源が消されるときに用いられる。さらに他の改良形態において、ヒーターまたは熱源は光または光源と組み合わせて用いられる。さらに他の改良形態において、装置は夕暮れまたは夜にヒーターにエネルギーを供給する光電池とバッテリーシステムを含む。光電池とタイマーとのさまざまな組み合わせを用いることができ、本開示の範囲内であると考えられる。また、タイマーはオンとオフのサイクルで用いることもでき、それによって昆虫防除物質を節約する。
【００２５】
一改良形態において、光源は低電圧白色光源を含む。
【００２６】
さらに他の改良形態において、昆虫防除物質を散布するための手段は圧電エアゾールシステムである。それらのシステムは小型に作ることができ、ファンの代替物として働くことができる。
【００２７】
このように、２つの重要な機能を提供する装置が開示され、その場所および国によってはその一方がより重要になり得る。単一の装置が雰囲気強化照明および有効な昆虫防除物質散布を提供する。
【００２８】
他の利点および特徴は、添付図面と関連付けて読めば、以下の詳細な説明から明らかになるであろう。
【００２９】
開示された方法および装置をより完全に理解するために、添付図面により詳細に示された実施形態を参照すべきである。
【図面の簡単な説明】
【００３０】
【図１】ねじ込みのネジ山付き基部を備える白色光／昆虫防除蒸気放出組み合わせ装置の側面図である。
【図２】ねじ込みのネジ山付き基部を備え、白色光に加えあるいはその代わりとして着色光を生成する少なくとも一つのＲＧＢ  ＬＥＤ光クラスター、活性物質の放出を高めるさまざまな手段、およびそれに付随する制御回路を含む他の装置の部分側面／断面／概要図である。
【図３】着色照明のための複数のＲＧＢ  ＬＥＤ光クラスター（ＲＧＢ  ＬＥＤクラスターは小さな外部シェルと共に透視像で示される）を備える装置の第１選択肢、ならびにＲＧＢ  ＬＥＤ光クラスターを１つ以上備えたまたは備えていないコイル状蛍光灯（ＣＦＬ、やはり透視像で示される）を含むことのできる他の選択肢を示し、２つの活性挿入体（例えば、防虫剤および芳香剤）を含むことが可能であり、挿入体にメモリーチップを付属させることの可能な昆虫防除蒸気放出装置の前面平面図である。
【図４】装置の機能ユニットの図示である。
【図５Ａ】図１〜４に示した装置の制御機構を示す回路図である。
【図５Ｂ】図１〜４に示した装置に適した他の主要制御盤を示す他の回路図である。
【図５Ｃ】図５Ｂに示した制御盤に結合される制御盤を示す他の回路図である。
【図５Ｄ】図５Ｂに示した制御盤に結合される制御盤を示す他の回路図である。
【図６】レッド、グリーン、ブルーの異なる色の３つのＬＥＤに対応する３つの座標を有する例示的ＣＩＥ図であり、本開示によって示される光によるショーは当該曲線の境界内に位置する、時間の経過と共に実行されるあらゆる経路を含む。
【図７】図１〜３に示した装置のコイル状蛍光灯（ＣＦＬ）のための調光可能な安定器の回路図である。
【図８】図７に示したコイル状蛍光灯（ＣＦＬ）のための調光可能な安定器のマイクロプロセッサの回路図である。
【図９】図２〜３に示した装置の例示的ＬＥＤドライバーの回路図である。
【図１０】本明細書に示される遠隔制御を用いる装置の無線周波数（ＲＦ）受信機の回路図である。
【図１１】本明細書に示される遠隔制御を用いる装置の無線送信機の回路図である。
【図１２】中庭および／または通路などの屋外領域で用いられる開示された装置の概要図である。
【図１３】有効成分カートリッジ、マット、管、瓶、シート、基板および他の含浸構造のさまざまな形状を示す図である。
【００３１】
図面は必ずしも正しい縮尺ではなく、開示される実施形態はしばしば概要図および部分図で示されることを理解すべきである。場合により、開示される方法および装置の理解に必要のない詳細、または他の詳細の把握を困難にする詳細は省略した。無論、本開示は本明細書に例示した特定の実施形態に制限されないことを理解すべきである。
【発明を実施するための形態】
【００３２】
図１〜３は、本開示に従って作られたねじ込み式の白色光および／または着色光によるショーと昆虫防除物質放出の組み合わせ装置１０ａ〜１０ｃを示す。開示される装置は多くの照明器具（白熱電球、ハロゲン電球、または蛍光灯用の従来の器具など）のいずれにも嵌合することができるが、本明細書に提供される説明は、例示目的のために、ネジ山付きメス受け具を備える従来の白熱灯ソケットに嵌合するエジソン型のネジ込み照明装置を参照する。無論、本開示の装置は照明ソケット／エネルギー源と嵌合する任意の電球とすることができる。１０ａ〜１０ｃの装置はエジソン型ソケットに限定されない。１０ａ〜１０ｃの装置は明らかに世界中で用いられる全ての種類の照明ソケットに用いることができる。したがって、コネクター１３は用いられる国または領域によってネジ山付きまたはひねり固定式としてもよい。１０ａ〜１０ｃの装置は屋内で用いても屋外で用いてもよい。
【００３３】
図１の装置１０ａは基部１２上に搭載された半透明の覆いまたはカバー１１を含む。基部１２の底部、この場合ネジ山付きオスは、ねじ込みコネクター１３を含み、これは従来のランプのネジ山付きメスソケットまたは他の照明器具（すなわち、エジソン型受け具）に嵌合するように構成される。コネクター１３がそのようなソケットと嵌合するとき、やはり屋内でも屋外でもよい装置１０にランプまたは照明器具からＡＣ電源が供給される。無論、低圧ＤＣ装置を含む、ＤＣ電源装置は本開示の範囲内であると考えられる。
【００３４】
図１に示した実施形態１０ａにおいて、コイル状蛍光灯または小型蛍光灯（ＣＦＬ）１４の形で白色光源が提供される。図２および実施形態１０ｂに示されるように、白色光源１４は個別のＬＥＤ１５ａ、１５ｂ、１５ｃを備えるレッド／グリーン／ブルー（ＲＧＢ）光の発光ダイオード（ＬＥＤ）クラスター１５と組み合わせてもよい。
【００３５】
図１に戻って、装置１０ａは１つ以上のカートリッジ１７、１８を受容する溝または受容領域１６を含む。カートリッジ１７、１８の両方が昆虫防除物質を含んでもよく、またはカートリッジ１７、１８の１つが昆虫防除物質を含んでよく、カートリッジ１７、１８の２つ目が芳香剤または他の揮発性活性剤を含んでもよい。カートリッジ１７、１８は溝１６中に挿入できるほとんどどんな形で提供してもよい。他の選択肢は、例えば、いずれも参照により本願に取り込まれている、同一の譲受人を有する米国特許第７，０４６，９２０号および第６，５５１，５６０号に開示されているように、昆虫防除物質を含浸させた固体マット型構造または基板を用いることである。例示的カートリッジ１７または１８の１種が米国特許第４，８４９，６０６号に開示されており、他の代替物として、「サンドコア」タブレットなどの含浸基板、または「ＷＯ第２００４／０６８９４５号」に開示される他種の構造を用いてもよい。両参考文献とも参照により本明細書に取り込まれている。また、活性剤は薄い紙のシートまたは透明でも、半透明でも、または不透明でもよい他の基板中に含浸することもできる。活性物質を含浸させた厚板ハニカム構造などのハニカム構造を用いることもできる。
【００３６】
図２に関し、他の装置１０ａ（図１）、１０ｃ（図３）と同様に、代替の装置１０ｂは回路基板２１を含み、これはＣＦＬ１４へのエネルギー供給などのさまざまな機能を提供する。ＣＦＬ１４は適切な電子安定器２２を備えるのが好ましく、その１つの例は図７に示され、これは「調光可能な」電子安定器を開示する。図２に戻って、マイクロプロセッサまたは制御器２３も基板２１上に搭載される。制御器２３はカートリッジ１７への連結２４を含むことができ、その端部は制御器２３によって消耗の合図を発生するためのセンサー２５を含んでもよい。消耗の合図は閃光信号または可聴音の形としてもよい
【００３７】
また、実施形態に着色光が含まれる場合、制御器２３はＬＥＤクラスター１５を作動させる。より広範囲の着色光によるショーを提供するために所望により設けられるメモリー２６を含むことができ、以下でさらに詳細に論じる。また、他の類似の装置と一緒に屋外で用いられる場合、光によるショーと昆虫防除物質の放出速度を調和させるため制御器２３はネットワークカードおよび２７に連結してもよい。
【００３８】
図２において、昆虫防除物質および／または芳香剤を揮発させる４つの手段が開示される。第１に、加熱要素２８をカートリッジ／マット１７の近くに配置して蒸発を強化してもよい。単純な抵抗装置であってもよい加熱要素２８は制御器２３または２９で示されるタイマーＴに連結される。また、例えば夕暮れ時など、蚊が活動的になる期間に活性剤が放出されるようにまたは放出の速度を増加させることができるように、加熱要素をタイマーＴに連結してもよい。第２に、加熱要素２８の替わりに、または加熱要素２８の補助として、制御器２３および／または３３で示されるタイマーＴに連結されたモーター３２を備えるファン３１を用いてもよい。第３に、用いられる昆虫防除物質によっては、望ましい放出速度を得るには環境の空気流で十分であろう。したがって、図３において、基部１２の前面プレート３５に複数の孔３４または単一の孔３４を設けてもよい。また、参照により本明細書に取り込まれている米国特許第７，０７０，１２１号、第７，００７，８６１号および第６，８９６，１９３号に開示されるように、圧電駆動噴霧装置３８を用いてもよい。最後に、白色光源１４からの熱および／または着色光源１５からの熱は、多くの揮発性活性剤の満足できる放出速度のために十分な熱を提供できることがここで注目されるであろう。
【００３９】
ヒーター２８はセラミックブロック中に埋め込まれた金属酸化物抵抗器または巻線抵抗器の形で提供することができる。無論、ヒーター２８には、ＰＴＣＲ（正温度係数抵抗器）ヒーター、コイル抵抗器ヒーター、印刷回路、エッチング箔加熱装置など他の加熱装置を用いることもできる。使用するとき、ヒーター２８はカートリッジ、マット、瓶、シート等である１７、１８に貯蔵された液体またはゲル剤型の有効成分を加熱するための熱を発生する。それらの加熱蒸発装置の配置は当技術分野で既知であり、ここでは詳細には説明しない。一般に、活性剤を含む要素１７、１８が熱を加えると蒸発速度が増加する配合／有効成分を含む場合、熱が制御器２３によって変化することで蒸発速度（したがって、効能）を制御することができる。図２および４に示したように、バッテリー４０と一緒に太陽電池を用いてもよい。
【００４０】
本開示に示される実施形態において、２つの制御器ボタン３６、３７が提供され、制御器２３に連結される。しかし、当業者にば明らかであるように、単一の制御ボタンまたは２つより多い制御ボタンを用いることができ、その全ては装置の具体的特徴および制御器２３のプログラムに依存する。
【００４１】
図３に戻って、本開示の設計の汎用性が特に図示される。図３に示されるように、装置１０ｃは、着色照明能力を備える、または備えないＣＦＬ１４を含んでもよい。さらに、装置１０ｃは複数のＬＥＤクラスター１５、１５’の形の着色照明能力を含んでもよい。図３には２つのクラスター１５、１５’だけが示されているが、単一のクラスターまたは２つより多いクラスターを用いてもよい。ＣＦＬ１４を備えないより小さな装置が望ましい場合、より小さな仮想外部シェル１１ａが示される。
【００４２】
ＲＧＢ  ＬＥＤクラスターは使用者を楽しませる特定の色の光、色によるショー、またはパターンを提供する多くの組み合わせのなかのいずれでも運転してもよい。例えば、ＬＥＤは同一の譲受人を有する国際公開番号ＷＯ２００５／００３６２５号、米国公開番号第２００５／０１６９８１２号および第２００５／０１６９６６６号に記載されたように運転することができ、上記文献は全てが参照により本明細書に取り込まれている。外部シェル１１、１１ａは使用者に、異なる色の個別のＬＥＤの活性化ではなく、意図した色を知覚させる光ディフューザーとして働く。また、昆虫を撃退または誘引するための既知の従来の照明技術を用いて昆虫を撃退または誘引するように照明効果をプログラムすることもできる。また、ディフューザー１１の壁は芳香剤または他の有効成分を吸収することができ、またはディフューザー１１がその間に昆虫防除物質および／または芳香剤を収容する孔空間を有する内部および外部壁を含むことができるので、シェルまたはディフューザー１１、１１ａは芳香剤／防虫剤ディスペンサーとして働くこともできる。
【００４３】
同じく図３を参照すれば、白色ＬＥＤ１５は装置１０ｃの主要照明源を提供することができるが、より高い照明レベルが望ましい場合にはＣＦＬ１４が必要である。替わりに、（または加えて）、レッド、グリーン、およびブルーＬＥＤ１５、１５’が組み合わされて、すなわちそのそれぞれの波長がディフューザー／シェル１１等によって混合されるとき、図６の下方に示した白色光を生成するように構成してもよい。白色光を生成するＲＧＢ  ＬＥＤクラスターの例は同一の譲受人を有し参照により本明細書に取り込まれている仮出願第６０／６４１，４４１号に見ることができる。ハロゲンまたは他の蛍光灯などの他の従来の光源を主要光源として用いることもできる。
【００４４】
昆虫防除活性剤の使用に関して、中庭、デッキ、またはプール領域などの所定の領域から昆虫を遠ざけておくことが望ましい、および／または図１２に示したような所定領域から昆虫を遠ざけるように誘引することが望ましい場合、開示の装置は、中庭／デッキ照明および屋外境界の照明用に特に有用である。さらに、クローゼットなどの閉じられた領域における開示された装置の使用には、揮発性活性剤を蛾、ゴキブリ、イエバエ、ショウジョウバエ、アリ、ブヨ、または他の家屋昆虫の殺虫剤または防虫剤とする機会を与える。
【００４５】
したがって、本明細書に開示される蒸発性カートリッジ、瓶、マット、パッケージ、管、シート、物質、ハニカム構造等、または本明細書に開示される受動ディスペンサー中に収容するのに適した成分は、防虫剤、誘引剤、および殺虫剤に加えて、液体、油またはゲルの形の芳香剤、空気清澄剤、脱臭剤、臭気除去剤、感染防止剤、消毒剤、または悪臭防止剤等であり、ゲルおよび油が好ましい。
【００４６】
開示される装置に用いられる昆虫防除物質は以下を含むが、これらに限定されない。（３−フェノキシフェニル）メチル３−（２，２−ジクロロエテニル）−２，２−ジメチルシクロプロパンカルボキシラート、（２−メチル〔１，１’−ビフェニル〕−３−イル）メチル３−（２−クロロ−３，３，３−トリフルオロ−１−プロペニル）−２，２−ジメチルシクロプロパンカルボキシラート、（Ｓ）−２−メチル−４−オキソ−３−（２−プロピニル）−２−シクロペンテン−１−イル２，２−ジメチル−３−（２−メチル−１−プロペニル）シクロプロパンカルボキシラート、２−メチル−４−オキソ−３−（２−プロペニル）−２−シクロペンテン−１−イル２，２−ジメチル−３−（２−メチル−１−プロペニル）シクロプロパンカルボキシラート、〔１Ｒ−〔１ａ（Ｓ*），３ｂ〕〕−２−メチル−４−オキソ−３−（２−プロペニル）−２−シクロペンテン−１−イル２，２−ジメチル−３−（２−メチル−１−プロペニル）シクロプロパンカルボキシラート、（１，３，４，５，６，７−ヘキサヒドロ−１，３−ジオキソ−２Ｈ−イソインドール−２−イル）メチル２，２−ジメチル−３−（２−メチル−１−プロペニル）シクロプロパンカルボキシラート、（１，３，４，５，６，７−ヘキサヒドロ−１，３−ジオキソ−２Ｈ−イソインドール−２−イル）メチル（１Ｒ）−シス−トランス−２，２−ジメチル−３−（２−メチル−１−プロペニル）シクロプロパンカルボキシラートおよび混合立体異性体、（３−フェノキシフェニル）メチル２，２−ジメチル−３−（２−メチル−１−プロペニル）シクロプロパンカルボキシラートおよび混合立体異性体、〔２，３，５，６−テトラフルオロ−４−（メトキシメチル）フェニル〕メチル２，２−ジメチル−３−（１−プロペニル）シクロプロパンカルボキシラート、（２，３，５，６−テトラフルオロ−４−メチルフェニル）メチル２，２−ジメチル−３−（１−プロペニル）シクロプロパンカルボキシラート、〔２，３，５，６−テトラフルオロ−４−（メトキシメチル）フェニル〕メチル２，２−ジメチル−３−（２−メチル−１−プロペニル）シクロプロパンカルボキシラート、（１Ｒ−トランス）−（２，３，５，６−テトラフルオロフェニル）メチル３−（２，２−ジクロロエテニル）−２，２−ジメチルシクロプロパンカルボキシラート、〔２，５−ジオキソ−３−（２−プロピニル）−１−イミダゾリジニル〕メチル２，２−ジメチル−３−（２−メチル−１−プロペニル）シクロプロパンカルボキシラート、１−エチニル−２−メチル−２−ペンテニル（１Ｒ）−シス−トランス−２，２−ジメチル−３−（２−メチル−１−プロペニル）シクロプロパンカルボキシラート、２，２−ジクロロエテニルジメチルホスフェート、〔１ａ，３ａ（Ｚ）〕−（±）−（２，３，５，６−テトラフルオロ−４−メチルフェニル）メチル３−（２−クロロ−３，３，３−トリフルオロ−１−プロペニル）−２，２−ジメチルシクロプロパンカルボキシラート、（（Ｒ）−トランス異性体）−（３−フェノキシフェニル）メチル２，２−ジメチル−３−（２−メチル−１−プロペニル）シクロプロパンカルボキシラート、シアノ（３−フェノキシフェニル）メチル３−（２，２−ジクロロエテニル）−２，２−ジメチルシクロプロパンカルボキシラート、１−〔〔２−（４−エトキシフェニル）−２−メチルプロポキシ〕メチル〕−３−フェノキシベンゼン、１−メチルプロピル２−（２−ヒドロキシエチル）−１−ピペリジンカルボキシラート、Ｎ，Ｎ−ジエチル−ｍ−トルアミド、およびその混合物。
【００４７】
本明細書に開示される装置と共に用いることのできる上記揮発性昆虫防除剤の一般的名称は、ペルメトリン、ビフェントリン、プラレトリン、アレトリン、エスビオトリン、テトラメトリン、ｄ−テトラメトリン、フェノトリン、メトフルトリン、プロフルトリン、ジメフルトリン、トランスフルトリン、イミプロトリン、エンペントリン、ジクロルボス、テトフルトリン、フェノトリン、シペルメトリン、エトフェンプロックス、パカルジン、ｎ，ｎ−ジエチル−ｍ−トルアミド、およびその混合物を含むが、これらに限定されない。
【００４８】
芳香剤が散布される場合、芳香剤または空気清澄剤は、ファーメニック社（Ｆｉｒｍｅｎｉｃｈ  Ｉｎｃ．，）、タカサゴ社（Ｔａｋａｓａｇｏ  Ｉｎｃ．，）、ノバイル社（Ｎｏｖｉｌｌｅ  Ｉｎｃ．，）、クエスト社（Ｑｕｅｓｔ  Ｃｏ．，）、国際フレイバーアンドフラグランス（Ｉｎｔｅｒｎａｔｉｏｎａｌ  Ｆｌａｖｏｒ  ＆  Ｆｒａｇｒａｎｃｅｓ）、およびジボーダン−ルーレ社（Ｇｉｖａｕｄａｎ−Ｒｏｕｒｅ  Ｃｏｒｐ）などの香料供給者から入手可能な１種以上の揮発性有機化合物を含む芳香剤である。最も伝統的な香料物質は揮発性精油である。芳香剤は合成により形成された物質、またはベルガモット油、ダイダイ、レモン、マンダリン、キャラウェー、ヒマラヤスギの葉、チョウジノキの葉、ヒマラヤスギ木材、ゼラニウム、ラベンダー、オレンジ、ハナハッカ、プチグレン、ヌマヒノキ、パチョリ、ラバンジン、ネロリ、ローズアブソリュート等などの天然由来の油とすることができる。
【００４９】
香料にはアルデヒド、ケトン、エステル、アルコール、テルペン等などの広範囲の化学物質が知られる。芳香剤は組成物を比較的単純にすることができ、または天然と合成化学成分の複雑な混合物とすることができる。単独または天然油と組み合わせた合成型の芳香剤組成は、米国特許第４，３２４，９１５号、第４，４１１，８２９号および第４，４３４，３０６号に記載され、それらは参照により本明細書に取り込まれている。他の人工液体芳香剤はゲラニオール、ゲラニルアセテート、オイゲノール、イソオイゲノール、リナロール、リナリルアセテート、フェネチルアルコール、メチルエチルケトン、メチルイオノン、イソボミルアセテート等を含む。
【００５０】
昆虫防除物質または芳香剤用のチクソトロピックゲルは、セルロース系材料、高分子増粘剤などの増粘剤（ｔｈｉｃｋｅｎｉｎｇ  ａｇｅｎｔ）、またはＣａｂｏｔ  ＣｏｒｐｏｒａｔｉｏｎによってＣａｂｏｓｉｌ商標で市販される種類のフュームドシリカの添加によって形成してもよい。また、昆虫防除物質または芳香剤は室温または高温で蒸気相に昇華する能力を有する結晶状固体の形とすることができる。
【００５１】
図４は図１〜３の装置１０ａ、１０ｂ、１０ｃの機能ユニットの図示である。マイクロ制御器２３はプログラム可能な制御器であり、光アレイ１５、１５’のＬＥＤ１５ａ〜１５ｃ（図２）、１５ａ〜１５ｃ、１５ａ’〜１５ｃ’（図３）からの光の放射を制御する出力信号を生成する。また、図２において連結または配線２４、２９、３３に見えるように、マイクロ制御器２３はカートリッジまたはマット１７、１８から放出される活性剤の量も制御する。また、マイクロ制御器２３はＣＦＬ１４のための安定器２２の動作を起動する。
【００５２】
同じく図４を参照すれば、マイクロプロセッサ２３は、図３に概要を示したように、カートリッジ１７、１８に設置されまたは備えられることのできるメモリーカードの形とすることのできる追加のメモリー２６に連結してもよい。追加のメモリー２６に記憶されるデータは追加の再プログラミング能力のための着色光によるショー、散布速度の変化を含むことができる。図４の分配組み立て体Ｄはファン３１、ヒーター２８、および消耗の合図２５のいずれか１つ以上を含むことができる。また、以下に詳細を説明するように、タイマーＴおよびセンサーＳが含まれて、これらが制御器２３に連結されていてもよい。電力が入手不可能でありまたは高価な遠隔地において、光電池３９およびバッテリー４０を用いることもできる。
【００５３】
替わりに、マイクロプロセッサの助けを借りずに、使用者が１つ以上の制御形態を機械的に設定するようにしてもよい。それらの基本的な制御は当業者に容易に理解されるであろう。しかし、マイクロ制御器２３は、メモリー２６に記憶された、またはネットワークカード２７を経由して制御器２３に伝達される１つ以上のプログラムに従ってこれらの装置の運転信号を生成し出力するのが好ましい。プログラムはメモリー２６中にあらかじめ設定され、ユーザーインターフェース（例えば、スイッチ３６、３７）を通じて使用者が選択し起動するようにしてもよい。信号は、電圧、コード化パルス、または他の信号の形とすることができ、図２および４に示した部品の運転を制御する。
【００５４】
マイクロ制御器２３の操作は、センサーＳからの信号に応じて、表示を生成するように作動することができる。センサーＳは、例えば、運動センサー、音センサー、タイミングセンサー、赤外線センサー、電源監視センサー、温度センサー、ＣＯ2センサー等を含むことができる。電源監視センサーが用いられる場合、電球を受容する照明ソケットまたはランプの電源スイッチがトグルスイッチで起動されるとき、マイクロ制御器２３は光表示および／または活性剤放出速度を起動および／または変化するように構成することができる（例えば、１つのトグル切り換えは蛍光光源１４を起動し、連続的な２つのトグル切り換えはＬＥＤアレイ１５を起動する、など）。
【００５５】
ヒトであるユーザーの存在によりＣＯ2ｐｐｍが増加するとき、二酸化炭素センサーを用いて防虫剤、誘引剤または殺虫剤を増加させることも可能である。人々の存在が検出されるとき発生する二酸化炭素の量を増加させるように二酸化炭素発生器Ｇを用いて、ヒトの替わりに装置１０ａ〜１０ｃへと試験を誘引することも可能である。
【００５６】
また、装置１０ａ〜１０ｃはタイミング機構Ｔを含むことができる。タイミング機構Ｔは発振器、結晶、従来の時計等としてもよい。タイミング機構Ｔはメモリー２６からのプログラムに従ってマイクロ制御器２３の運転を制御してもよい。さらに、タイミング機構Ｔを用いて使用者がプログラムしたとおりに、メモリー２６によって設定された光表示の長さおよび／または防虫剤の放出速度を制御するようにしてもよい。さらに、メモリーカード２６が有効成分装置１７または１８（図３参照）上に配置される場合、マイクロプロセッサ２３へと伝達され転じてその有効成分の最適放出のための最適温度を設定するために用いられる温度情報を、メモリーカード２６は含むことができる。
【００５７】
図５Ａは、照明と揮発性活性剤の調和し／組み合わせられた提示を生成する装置１０ａ〜１０ｃを運転する制御構成の回路図を示す。マイクロ制御器（またはＡＳＩＣ）２３は装置１０の運転を制御する。図５Ｂおよび５Ｃに見えるように、制御器２３はＰＩＣ１２Ｆ６２９とすることができ、これは＋／−１％の内部４ＭＨｚ発振器を備える８ピンのフラッシュ系８ビットＣＭＯＳマイクロ制御器である。１ＭＨｚおよび２Ｖにおいて１００μＡの動作電流で、動作電圧範囲は２〜５．５Ｖである。内部４ＭＨｚ発振器の５Ｖでの典型的な動作電流は数μＡである。制御器２３は各Ｉ／Ｏピン上の接地またはＶｃｃに２５ｍＡまで駆動することが可能である。使用可能な温度範囲は−４０℃〜＋１２５℃であり、屋外使用に適している。制御器チップ２３は１０２４ワードのプログラム可能なフラッシュメモリー、１２８バイトのＥＥＰＲＯＭ、６４バイトのＲＡＭを有する。
【００５８】
図５Ａに戻って、電力はランプ（ＡＣ電源４１）を経由して装置１０ａ〜１０ｃに供給される。電圧変換装置４２はＡＣ電源４１からのＡＣ電圧をＤＣ電圧へ変換する。マイクロプロセッサ２３は電圧変換装置４２から電力を受け取り、受け取った電力を用いて装置１０の運転を制御する。
【００５９】
マイクロ制御器２３は、入力信号または内部プログラムに従って装置１０のさまざまな要素に運転指令を与える制御ロジック４３を含む。制御ロジック４３は受け取った信号を変換し、または内部ソフトウェアルーチンを走らせて、ＬＥＤ１５ａ〜ｃのＬＥＤアレイおよび／またはヒーターとして働く抵抗器Ｒ１を有する揮発性活性剤制御システムＤの動作を設定する。ヒーター２８の替わりにファン３１を用いる実施形態において、Ｒ１はモーター３２に置き換えられるであろう。
【００６０】
制御ロジック４３はＬＥＤのアレイの作動を制御するための信号をＬＥＤ制御ブロック４４に送る。ＬＥＤアレイを駆動し制御するためにパルス幅変調を用いるとき、ＬＥＤ制御ブロック４４は制御ロジック４３からの指令に基づいてＬＥＤのデューティーサイクルを設定する。
【００６１】
供給線４５ａ〜４５ｃはエネルギー供給４２から抵抗器４６ａ〜４６ｃを通って電圧を供給する。抵抗器４６ａ〜４６ｃを通る電圧供給は、約３．５〜約５．０ボルトであるのが好ましい。そして、抵抗器４６ａ〜４６ｃはレッドＬＥＤ１５ａ、グリーンＬＥＤ１５ｂ、およびブルーＬＥＤ１５ｃをそれぞれ駆動する。電界効果トランジスタ（ＦＥＴ）４７ａ〜４７ｃは、ＬＥＤ制御ブロック４４によって発生されるそれぞれのデューティーサイクルに応じてオンオフされる。ＦＥＴ４７ａ〜４７ｃの運転は、ＬＥＤ制御ブロック４４によって設定される、デューティーサイクルのある部分でＲＧＢ  ＬＥＤ１５ａ〜１５ｃが起動されるように制御する。したがって、ＬＥＤ１５ａ〜１５ｃから放射される光の強度および色は望ましい効果を生むように変化させることができる。１つのデューティーサイクル中の設定された期間において所与のダイオードに加えられる定電流の制御には、典型的にパルス幅変調が用いられ、それにより、全体のデューティーサイクルを通じてＬＥＤに加えられる総電流を制御する。したがって、各デューティーサイクルの設定された部分でダイオードは明滅し、デューティーサイクルの残りの部分では消灯している。無論、このオンオフ動作は非常に速いので（典型的にデューティーサイクルは数ミリ秒の範囲である）、デューティーサイクル全体における設定された起動期間が変化するまでは、観察者にはダイオードの強度は一定（明滅は識別不能）に見える。
【００６２】
また、図５Ａに示すように、マイクロプロセッサ２３は揮発性活性剤制御Ｄへ制御信号を送ることができる。この実施形態において、制御されている揮発性活性剤ディスペンサーは蒸発型ディスペンサーである。加熱要素２８の一部である抵抗器Ｒ１は抵抗器Ｒ１を通る電流によって加熱される。典型的に、抵抗器Ｒ１は揮発性活性剤を含有するゲルまたは油が空気に露出する領域に隣接して配置され、抵抗器Ｒ１からの熱は揮発性活性剤を蒸発させる。スイッチＳＣＲ１は抵抗器Ｒ１を通る電流を変化させ、したがって、抵抗器Ｒ１によって生成される熱および揮発性活性剤の蒸発の速度を変化させる。代替の実施形態において、スイッチＳＣＲ１によって制御されるファン、または噴霧器を抵抗器Ｒ１の替わりに、および／または抵抗器Ｒ１に加えて用いることができる。また、他の実施形態において、スイッチＳＣＲ１はＦＥＴによって置き換えることができる。さらに、揮発性活性剤ディスペンサーはマイクロプロセッサによってではなく使用者が機械的に調整するようにしてもよい。
【００６３】
マイクロプロセッサ２３は消耗合図２５を制御するようにしてもよい。消耗合図２５は揮発性活性剤制御の使用を追跡して揮発性活性剤ディスペンサー中の揮発性活性剤が使い切られる可能性が高い時間を推測することができ、または単純にセンサーを用いてカートリッジ、瓶、管、または他の活性剤装置が空になったまたは使い切った時を検出することができる。一実施形態において、揮発性活性剤が消費されたことを消耗合図２５が検出したとき、それは信号をＬＥＤ制御ブロック４４に送って、パターン、色、または他の態様でＬＥＤを点灯させ、補充可能なディスペンサーが用いられる場合にはディスペンサー中の揮発性活性剤、またはさらに好ましくは揮発性活性剤カートリッジ１７または１８、を交換する時期であることを使用者に示す。本明細書に開示される「カートリッジ」１７、１８には、さまざまなカートリッジ型容器、マット、瓶、または挿入体を用いることができる。さまざまな他の設計実施形態が当業者には明らかであろう。さらに、特定のカートリッジ１７、１８が空、空に近い、または消耗したときを検出し、または消耗合図２５に連絡する適切な手段も当業者には明らかであろう。単純な抵抗器機構は低コストおよび信頼性故に望ましいものになりうる。
【００６４】
制御ロジック４３はどのようなやり方でプログラム／制御されてもよい。複数の装置１０を含む屋外または屋内照明システムに有用な一実施形態において、ネットワークカード２７はアンテナ４８を経由して外部信号を受信する。単一の装置システムでは、カード２７はアンテナ４８を経由して遠隔制御（図示されない）からの信号を受信するトランシーバーとして機能する。受信された信号はネットワークカード２７から制御ロジック４３に伝送されてＬＥＤ制御ブロック４４を通じての光表示および揮発性活性剤制御ディスペンサーＤを設定する。また、制御ロジック４３の動作は内部プログラムによって設定することもできる。上記回路の変形例は図５Ｂ〜５Ｄに示される。
【００６５】
使用者は揮発性活性剤放出速度および光によるショーをマニュアルで設定することができる。この場合、使用者はプログラム選択スイッチ３６または３７（図１〜２）を操作してＬＥＤ１５ａ〜１５ｃの光によるショーのプログラムを設定することができる。また、スイッチ３６、３７の１つは昆虫防除物質の放出速度を制御するために用いることができる。無論、望ましい制御のレベルおよびプログラム可能性に応じて追加のボタンまたはスイッチを設けてもよい。特に、手動または自動運転／プログラミングが望ましいかどうかを制御するためにスイッチを設けることができる。
【００６６】
装置１０の覆いから放射される光の強度と正確な色を各ダイオードに印加する電流を変えることによって変化させてもよい。ＬＥＤ運転の異なる組み合わせは、ＬＥＤからの光が拡散されて１つの知覚される色を形成するとき、知覚される色を変化させるであろう。これは３つの異なる色の（ＲＧＢ）ＬＥＤに対応する３つの座標を有するＣＩＥ図を示す図６との関係で最もよく理解される。本明細書に説明される光によるショーは出発および終りの色度点（ｃｏｌｏｒ  ｐｏｉｎｔ）を含み、ショーの過程中にこれらの２つの点の間の任意の予め定めた経路を辿る。これは参照により本願に取り込まれている係属中仮出願第６０／６４１，４４１号により詳細に説明される。
【００６７】
色度点は光によるショーの所与の瞬間のＬＥＤの設定を指し、特定の知覚される色を与える。（ＬＥＤの設定は光によるショーの指示に従って時間の経過と共に変化するので、色度点は最終的に色の「洗浄（ｗａｓｈ）」または「波」として知覚される。）われわれは「知覚された」色を議論しているので、これらの波長が実質的に一定である限り、出発色度点は色によるショーに用いられるＬＥＤによって放射される光の波長に直接一致しない。しかし、出発および終りの色度点はＣＩＥ図上の座標によって定義することができる。
【００６８】
また、色度点は色によるショーを形成するために用いられるＬＥＤから放射される光の相対強度によって定義することもできる（すなわち、光によるショーの特定の点での異なるＬＥＤのための動作設定）。例えば、色度点は使用される各ＬＥＤに対しその時点で設定されている特定の強度レベルおよび各ＬＥＤの主要波長によって定義することができる。強度レベルはＬＥＤのパルス幅（例えば、ＬＥＤの全強度に対するパーセントとして）によって定義されるのが好ましい。
【００６９】
特定強度での異なる色のＬＥＤからの光の組み合わせがＣＩＥ図上の設定点に直接対応することは、当業者に理解するであろう。したがって、上で議論した色度点を定義するために可能な異なる方法（すなわち、ＣＩＥ図の座標または特定のＬＥＤ設定を用いる）は、知覚される色を定義する目的において実質的に同等である。
【００７０】
しかし、われわれは異なるＬＥＤからの光を組み合わせることのできる多くの方法があることを述べておく。特にディフューザーが使用されずＬＥＤが互いに近接して配置されるにすぎないいくつかの方法において、使用者は（複数の）ＬＥＤの放射点に近い異なる（複数の）色を知覚しうる。使用者が、完全な混合ではなく、個々のＬＥＤからの波長に対応する個別の色を見る観察可能な部分が表示中に存在し得るが、われわれが色度点を議論するとき、われわれは異なるＬＥＤからの光の実質的に完全な混合の色を指している。
【００７１】
出発および終わりの色度点は、従来システムにおいて色によるショーの全ての点を記載する参照用テーブルの最初と最後の記入に類似している。しかし、従来の参照用テーブルからの（最初と最後の間の）中間点の全てを提供する替わりに、われわれの発明は各中間色度点を決定し記憶する必要がない。この効果を達成するために、タイミング情報が提供される。タイミング情報は光によるショーとＬＥＤ制御のタイミングの態様を画定する。
【００７２】
マイクロ制御器はタイミング情報を用いて光によるショーのための中間色度点の全てをそれ自身で計算してもよい。これは、もしこのやり方を取らなければ、さまざまな光によるショーのために複雑な参照用テーブルにつぎ込まなければならなかった、価値のあるメモリー空間を節約する。タイミング情報は出発色度点の表示から終りの色度点までの表示の期間に関する情報を含むのが好ましい。また、タイミング情報は、ＬＥＤ群全体のまたは個別のＬＥＤの、ランプ速度（ｒａｍｐ  ｓｐｅｅｄ）に関する情報を含むのが好ましい。ランプ速度はＬＥＤの強度変化の速度を指す。一般にランプ速度は、各強度レベルは等しいとして、ＬＥＤが（その特定のショーについて）１つの強度レベル分の変化に要する単位時間として定義することができる。また、これは単位時間当たりの強度の変化として定義することもできる。
【００７３】
デューティーサイクル中の部分に印加される定電流のパルス幅を変えてＬＥＤから放射される光の強度を変更するように、ＬＥＤはパルス幅変調（ＰＷＭ）によって制御することができる。ＬＥＤの強度レベルは定電流が加えられる間のデューティーサイクルの分数として測定することができ、他の方法として百分率で表わすことができる。ＬＥＤがオンではない時、パルス幅は０％である。定電流がデューティーサイクルの半分の期間ＬＥＤに印加されるとき、ＬＥＤの強度は５０％である。ランプ速度は総強度の１パーセントの強度変化の間の時間として定義することができる。したがって、ＬＥＤのランプ速度が２秒に設定される場合、光によるショーの過程の間、そのＬＥＤは目標値（すなわち、終了色度点を達成するためのＬＥＤの強度値）に達するまで２秒ごとにその強度を１パーセント変化させる。一実施形態において、ランプ速度は１秒あたりの百分率の変化として定義される。無論、当業者に理解されるように、速度は多くの方法のどれでも定義することができる。また、ランプ速度は光によるショーの間にＬＥＤの強度が増加するのかまたは減少するのかによって正にも負にもなりうる。あるいは、マイクロ制御器２３は、出発強度設定と終了強度設定を比較することによって、強度設定を増加または減少するようにプログラムすることができる。したがって、例えば、マイクロ制御器２３が終了設定値を出発設定値よりも低いと認めた場合、マイクロ制御器２３は所与のランプ速度に設定された割合でＬＥＤの強度を減少させるであろう。
【００７４】
与えられたタイミング情報によって、ＬＥＤ１５ａ〜１５ｃを制御するマイクロ制御器２３には図６のＣＩＥ図の出発点と終了点間の中間色度点を計算するロジックを設けることができる。ロジックはメモリーからタイミング情報を読み取り、ランプ速度と目標強度に従って各ＬＥＤのデューティーサイクルを調整する。各ＬＥＤの強度は目標値に到達するまで、またはショーの期間長に到達するまで調整される。この時、マイクロ制御器２３はメモリーからタイミング情報の次のセットを読み取り、再び開始する。無論、ショーの期間長が終わる前に目標強度に到達する場合、マイクロ制御器２３は当該期間長に到達するまでＬＥＤの強度を保持する。連続的に変化するショーが望ましい場合、ショーの期間長が終わる前に目標強度に到達せず、したがって、決して目標値を達成しないように、ランプ速度を設定することができる。同様に、マイクロ制御器は期間長を無視し、目標強度に達したら直ちに次の強度とランプ速度をロードするように構成することができる。
【００７５】
これを達成するためのプログラミングは当業者に容易に理解されるであろう。したがって、マイクロ制御器をプログラミングする多くの異なる方法の詳細な説明は本明細書には提供しない。
【００７６】
３色のＬＥＤ１５ａ、１５ｂ、１５ｃが図２の装置１０ｂに関して示され、６色のＬＥＤ１５ａ’、１５ｂ’、１５ｃ’が図３の装置１０ｃに関して示されるが、任意の数のＬＥＤまたはＲＧＢ  ＬＥＤクラスターを用いることができる。加えて、どの着色ＬＥＤを提供するかの選択は設計の優先度によって指定することができる。さらに、上述と同じ技術を用いて白熱または従来の着色光源を使用してもよいため、ＬＥＤの使用は必須ではない。
【００７７】
一般に、各着色ライトの１つは他の着色ライトの近くに設けられる。そのようなクラスター配置によって、異なる３色からなるセットの各光の正確な色を、混色、例えばアンバーまたはパープル、を生成するように調節することができる。この混合は、個々の着色光ではなく着色光の混合だけが観察者に見えるように、近接する３色の光を提供することによって達成することができる。替わりに、または追加で、３色の光を拡散して混合された色を生成するディフューザーを提供することができる。他の実施形態において、光は観察者から見られる前にある表面で混合され、そこから投影されるようにすることができる。ＬＥＤが互いに近接して配置されない場合、または十分な拡散がない場合、装置１０において複数の色が知覚されるようにしてもよい。これは設計の好みの問題である。
【００７８】
ＬＥＤおよび白熱光源は広範囲の色で照明器製造者から容易に入手可能である。また、所望の表示を達成するためのＬＥＤまたは他の種類の着色光源の構成と操作は、当業者に明らかであろう。
【００７９】
ＣＦＬのための調光安定器２２の回路図は図７に示される。無論、他の安定器設計でも機能するであろうし、他の安定器設計は当業者に明らかであろう。図８は図７に示したＬ６５７４プロセッサのための回路図を示す。図８に示すように、Ｌ６５７４はＳＴマイクロエレクトロニクス（ｗｗｗ．ｓｔ．ｃｏｍ）から入手可能であり、ＣＦＬ１４の適切な予備加熱および点灯のためのパラメーターの設定を可能にする専用タイミング部分を含む。さらに、Ｌ５６７４は運転中にランプ電流の閉ループ調節を実行するためのＯＰ  ＡＭＰ（図８）も含み、それによって使用者によるＣＦＬ１４の調光を可能にする。図７に戻って、Ｌ５６７４用のピン接続は次の通りである。（１）予備加熱タイミングコンデンサ、（２）最大振動周波数設定、（３）後の周波数設定コンデンサ、（４）最小振動周波数設定抵抗器、（５）フィードバック制御ループを実行する目的の演算増幅器、（６）演算増幅器の入力の変換、（７）演算増幅器の入力の非変換、（８）所定の電圧条件下で装置をラッチされた停止状態にするイネーブル１、（９）起動手順を再始動するイネーブル２、（１０）グランド、（１１）ローサイドドライバー出力、（１２）供給電圧、（１３）接続されない、（１４）ハイサイドドライバーフローティング参照、（１５）ハイサイドドライバー出力、（１６）ブートストラップ供給電圧。
【００８０】
図９に例示的ＬＥＤドライバー回路が示され、これはキャタリストセミコンダクタ社から入手可能である。他の例は米国特許第６，１５０，７７４号および第６，５２８，９２４号に見出され、これらは参照により本明細書に取り込まれている。図９に示されるドライバー回路はマイクロ制御器２３によって制御される。遠隔制御を用いる実施形態では、適切なＲＦ受信機回路図が図１０に示され、適切なＲＦ送信機回路図は図１１に示される。
【００８１】
図１２に戻って、屋外照明システム５０が開示され、これは、玄関または中庭などの保護すべき領域５１を囲む本明細書に開示される照明／活性剤放出装置１０の組み合わせを複数含み、または替わりに、それらの照明／活性剤放出装置を用いて５２で示される通路を保護することができる。装置１０は電流によって駆動することができ、または上で論じたように太陽エネルギーとすることができる。装置間の通信はハード配線とすることができ、または無線通信を用いることができる。昆虫防除物質または蚊撃退剤の放出を夕暮れまで遅らせ、夕暮れに増加させ、あるいは対象の害虫が問題となる時に応じてさまざまな時間に調節することができるので、タイマーはこれらの種類のシステムにおいて特に有用である。
【００８２】
最後に、図１３に戻って、交換可能挿入体１７のさまざまな実施形態が示される。挿入体１７ａは昆虫防除物質５４としん（ｗｉｃｋ）５５を充填した瓶５３を含む。交換可能挿入体１７ｂは放出を制御するために浸透性とすることのできる管状構造５６を含む。交換可能挿入体１７ｃは透明、半透明、または不透明とすることのできる単一のシート５７を含む。これらのシート５７の１つ以上を溝１６に挿入することができる。挿入体１７ｄは活性物質を含浸させたより厚いマット５８を含む。挿入体１７ｅは溝１６のない実施形態に用いられ、装置１０の基部１２の外側に取り付けることができる。中央のパッチ５９は活性物質で含浸され、外側境界６１は交換可能パッチ１７ｅを装置１０に接着するために用いられる。挿入体１７ｆはプラスチックまたは箔から作られるのが好ましい外側フレーム６２、および活性物質を収容する内側樋（ｉｎｎｅｒ  ｔｒｏｕｔｈ）またはトレイ領域６３を含む。活性剤の放出を制御するために透過性膜６４は樋６３を覆うために用いられる。挿入体１７ｇは活性物質を含浸させた圧縮砂またはサンドコアタブレット６５である。この技術は参照により本明細書に取り込まれている国際公開第ＷＯ２００４／０６８９４５号に記載される。最後に、挿入体１７ｈは外側フレーム６６を含み、本質的に活性物質を含浸させた丸、平坦、厚紙ディスクであるハニカム構造６７を収容する。波形要素間の空間は、十分な空気流を提供し、ハニカム構造６７に含浸させた活性剤の制御された放出を提供する。無論、他の種類の挿入体は当業者に明らかであり、本開示の範囲内であるとみなされる。
【００８３】
これらの図は開示装置の構造、制御、およびプログラミングのいくつかの可能な構成を示すのみである。本開示の精神および範囲から逸脱することなく多くの異なる実施形態を解釈することができる。開示は本明細書に説明した特定の実施形態に制限されないことに留意すべきである。逆に、本開示は、請求項によって定義される本開示の精神と範囲内に含まれる様々な改変および等価な構成を含むことが意図される。請求項の範囲はそれらの改変、等価な構造および機能の全てを包含するように、最も広い解釈を与えられるべきである。
【産業上の利用可能性】
【００８４】
本開示の装置は、従来の電球に類似する単一の装置から昆虫防除剤を含む有効成分放出、ムード照明および機能的な白色照明を提供することによって、全般的な望ましい効果の達成を可能にする。
【図１】
2010515454.tif 000003
【図２】
2010515454.tif 000004
【図３】
2010515454.tif 000005
【図４】
2010515454.tif 000006
【図５Ａ】
2010515454.tif 000007
【図５Ｂ】
2010515454.tif 000008
【図５Ｃ】
2010515454.tif 000009
【図５Ｄ】
2010515454.tif 000010
【図６】
2010515454.tif 000011
【図７】
2010515454.tif 000012
【図８】
2010515454.tif 000013
【図９】
2010515454.tif 000014
【図１０】
2010515454.tif 000015
2010515454.tif 000016
【図１１】
2010515454.tif 000017
【図１２】
2010515454.tif 000018
【図１３】
2010515454.tif 000019
【国際調査報告】
2010515454.tif 000020
2010515454.tif 000021